(57)【要約】【課題】  バリアシートと肌との間における蒸れを防止し、着用者の肌のかぶれ等の発生を抑制することができる吸収性物品を提供する。【解決手段】  おむつ１は吸液性のシャーシ２とバリアシート３と防漏カフ４とを含む。バリアシート３は、横方向Ｘに対向する両側部分３０，３１と両側部分３０，３１の間をつなぐ中間部分３２とを有し、中間部分３２は股下域９に位置している。両側部分３０，３１および中間部分３２によって前後方連通部３３，３４を形成している。中間部分３２の横方向Ｘの外側に位置する両側部分３０，３１には、切除部４１を形成している。切除部４１は、バリアシート弾性部材の凸状部３９ｃ，４０ｃの横方向Ｘの外側から、両側部分３０，３１の横方向Ｘの外側を形成する両側縁４２，４３に向かってＶ字を画くようにシートを切り欠くことによって形成されている。【選択図】図３
2009148309.tif 000002
【特許請求の範囲】
【請求項１】
縦方向および横方向と、身体側および着衣側と、前ウエスト域、後ウエスト域および前記前後ウエスト域間に位置する股下域と、前記股下域に配置される吸液構造体とを有するシャーシと、前記シャーシの前記身体側にあって前記股下域において前記シャーシから離間可能に形成されたバリアシートとを含む吸収性物品において、
前記バリアシートは、前記縦方向に延びるとともに前記横方向に対向する両側部分と、前記両側部分の間をつなぐ中間部分と、前記横方向に延びるとともに前記縦方向に対向する前後端縁と、前記縦方向に延びるとともに前記横方向に対向して伸長状態で取り付けられたバリアシート弾性部材とを含み、前記前後端縁が前記シャーシの身体側に固着され、前記吸液構造体が前記股下域から前記前後ウエスト域に湾曲することによって前記シャーシから離間して、前記バリアシートと前記吸液構造体との間に空隙を形成し、
前記空隙の内部に向かって排泄物を通過させることが可能であって前記両側部分および前記中間部分によって画成される連通部を形成し、
前記中間部分の前記横方向外側に位置する前記両側部分には、前記両側部分の一部を切り取った切除部を備えることを特徴とする前記吸収性物品。
【請求項２】
前記切除部は、前記両側部分の前記横方向外側を形成する両側縁の一部を含んで切除することによって形成される請求項１記載の吸収性物品。
【請求項３】
前記切除部は、前記両側部分の前記横方向外側を形成する両側縁を切除することなく残存させ、前記両側縁と前記中間部分との間の領域において形成される請求項１記載の吸収性物品。
【請求項４】
前記連通部は、前記中間部分を介して前記縦方向の前側に位置する前方連通部と、前記縦方向の後側に位置する後方連通部とを含み、
前記バリアシートは、前記中間部分の前記縦方向を二等分する境界線を含み、
前記切除部は、前記境界線上に形成されるとともに、前記境界線によって画成された前記縦方向の前側領域と後側領域とを含み、前記前側領域は前記後側領域よりもその面積が広く設定されている請求項１〜３のいずれかに記載の吸収性物品。
【請求項５】
前記バリアシートと前記シャーシとの間には、前記空隙を前記前ウエスト域側と前記後ウエスト域側に隔てる分離シートを備え、
前記分離シートは、前記中間部分から前記切除部に亘って前記横方向に延びる請求項１〜４のいずれかに記載の吸収性物品。
【請求項６】
縦方向および横方向と、身体側および着衣側と、前ウエスト域、後ウエスト域および前記前後ウエスト域間に位置する股下域と、前記股下域に配置される吸液構造体とを有するシャーシと、前記シャーシの前記身体側にあって前記股下域において前記シャーシから離間可能に形成されたバリアシートとを含む吸収性物品において、
前記バリアシートは、前記縦方向に延びるとともに前記横方向に対向する両側部分と、前記両側部分の間をつなぐ中間部分と、前記横方向に延びるとともに前記縦方向に対向する前後端縁と、前記縦方向に延びるとともに前記横方向に対向して伸長状態で取り付けられたバリアシート弾性部材とを含み、前記前後端縁が前記シャーシの身体側に固着され、前記吸液構造体が前記股下域から前記前後ウエスト域に湾曲することによって前記シャーシから離間して、前記バリアシートと前記吸液構造体との間に空隙を形成し、
前記空隙の内部に向かって排泄物を通過させることが可能であって前記両側部分および前記中間部分によって画成される連通部を形成し、
前記中間部分の前記横方向外側に位置する前記両側部分には、前記横方向に延びるとともに伸長状態で取り付けられた中間弾性部材を備え、前記中間弾性部材の前記横方向の外側においては前記バリアシートと前記シャーシとが非接合であることを特徴とする前記吸収性物品。
【請求項７】
前記吸収性物品は、前記バリアシートの身体側であって前記横方向に対向し前記縦方向に延びる一対の防漏カフを含み、
前記防漏カフは、前記シャーシに接合される固定縁部と、前記シャーシに接合されることなく前記シャーシから離間可能な自由縁部と、前記自由縁部に伸長状態で取り付けられ前記防漏カフを前記シャーシから離間させるカフ弾性部材とを含み、
前記バリアシートは、前記両側縁部が前記シャーシに固着され前記縦方向に延びるとともに前記中間部分よりも前記後端縁側に延びる第１後方固着帯と、前記両側部分が前記防漏カフに固着され前記縦方向に延びるとともに前記中間部よりも前記後端縁側に延びる第２後方固着帯とを含み、前記第１後方固着帯は前記第２後方固着帯よりも前記縦方向の寸法を長く設定されている請求項１〜６のいずれかに記載の吸収性物品。
【発明の詳細な説明】
【技術分野】
【０００１】
この発明は、吸収性物品に関し、さらに詳しくは使い捨てのおむつ、排便排尿トレーニングパンツ、失禁ブリーフ等の吸収性物品に関する。
【背景技術】
【０００２】
従来、排泄物が着用者の肌に接触しないように、スキンコンタクトシートを備えた使い捨ておむつとして、例えば特開２００７−１０５２９８号公報（特許文献１）が公知である。この特許文献１によれば、おむつはトップシートとバックシートと、これらトップシートおよびバックシートの間に配置される吸収体と、トップシートの着用者肌側に配置されたスキンコンタクトシートとを備え、スキンコンタクトシートには排泄物をトップシート側に通過させる開口部と、この開口部を囲むように伸長状態で取り付けられる弾性部材とを備えている。このようなスキンコンタクトシートは、弾性部材によってトップシートから浮き上がり、着用者の股下において着用者の肌に接触し、排泄物が肌に接触しないようにしている。
【特許文献１】特開２００７−１０５２９８号公報
【発明の開示】
【発明が解決しようとする課題】
【０００３】
上記のようなおむつは、排泄物などによってスキンコンタクトシートが湿るのを防止するために、その材料として撥水性のものを使用している。このようなスキンコンタクトシートは、弾性部材によってトップシートから浮き上がり着用者の肌に接触するので、おむつ着用時においては常に接触した状態が維持される。撥水性を有するスキンコンタクトシートが長時間に亘って肌に接触すると、着用者の汗などによって蒸れが発生し、着用者の肌がかぶれる可能性がある。
【０００４】
本発明では、バリアシートと肌との間における蒸れを防止し、着用者の肌のかぶれ等の発生を抑制することを課題とする。
【課題を解決するための手段】
【０００５】
本発明は、縦方向および横方向と、身体側および着衣側と、前ウエスト域、後ウエスト域および前記前後ウエスト域間に位置する股下域と、前記股下域に配置される吸液構造体とを有するシャーシと、前記シャーシの前記身体側にあって前記股下域において前記シャーシから離間可能に形成されたバリアシートとを含む吸収性物品の改良に関わる。
【０００６】
本発明は前記吸収性物品において、前記バリアシートは、前記縦方向に延びるとともに前記横方向に対向する両側部分と、前記両側部分の間をつなぐ中間部分と、前記横方向に延びるとともに前記縦方向に対向する前後端縁と、前記縦方向に延びるとともに前記横方向に対向して伸長状態で取り付けられたバリアシート弾性部材とを含み、前記前後端縁が前記シャーシの身体側に固着され、前記吸液構造体が前記股下域から前記前後ウエスト域に湾曲することによって前記シャーシから離間して、前記バリアシートと前記吸液構造体との間に空隙を形成し、前記空隙の内部に向かって排泄物を通過させることが可能であって前記両側部分および前記中間部分によって画成される連通部を形成し、前記中間部分の前記横方向外側に位置する前記両側部分には、前記両側部分の一部を切り取った切除部を備えることを特徴とする。
【０００７】
好ましい他の実施態様のひとつとして、前記切除部は、前記両側部分の前記横方向外側を形成する両側縁の一部を含んで切除することによって形成される。
【０００８】
好ましい他の実施態様のひとつとして、前記切除部は、前記両側部分の前記横方向外側を形成する両側縁を切除することなく残存させ、前記両側縁と前記中間部分との間の領域において形成される。
【０００９】
好ましい他の実施態様のひとつとして、前記連通部は、前記中間部分を介して前記縦方向の前側に位置する前方連通部と、前記縦方向の後側に位置する後方連通部とを含み、前記バリアシートは、前記中間部分の前記縦方向を二等分する境界線を含み、前記切除部は、前記境界線上に形成されるとともに、前記境界線によって画成された前記縦方向の前側領域と後側領域とを含み、前記前側領域は前記後側領域よりもその面積が広く設定されている。
【００１０】
好ましい他の実施態様のひとつとして、前記バリアシートと前記シャーシとの間には、前記空隙を前記前ウエスト域側と前記後ウエスト域側に隔てる分離シートを備え、前記分離シートは、前記中間部分から前記切除部に亘って前記横方向に延びる。
【００１１】
本発明は前記吸収性物品において、前記バリアシートは、前記縦方向に延びるとともに前記横方向に対向する両側部分と、前記両側部分の間をつなぐ中間部分と、前記横方向に延びるとともに前記縦方向に対向する前後端縁と、前記縦方向に延びるとともに前記横方向に対向して伸長状態で取り付けられたバリアシート弾性部材とを含み、前記前後端縁が前記シャーシの身体側に固着され、前記吸液構造体が前記股下域から前記前後ウエスト域に湾曲することによって前記シャーシから離間して、前記バリアシートと前記吸液構造体との間に空隙を形成し、前記空隙の内部に向かって排泄物を通過させることが可能であって前記両側部分および前記中間部分によって画成される連通部を形成し、前記中間部分の前記横方向外側に位置する前記両側部分には、前記横方向に延びるとともに伸長状態で取り付けられた中間弾性部材を備え、前記中間弾性部材の前記横方向の外側においては前記バリアシートと前記シャーシとが非接合であることを特徴とする。
【００１２】
好ましい他の実施態様のひとつとして、前記吸収性物品は、前記バリアシートの身体側であって前記横方向に対向し前記縦方向に延びる一対の防漏カフを含み、前記防漏カフは、前記シャーシに接合される固定縁部と、前記シャーシに接合されることなく前記シャーシから離間可能な自由縁部と、前記自由縁部に伸長状態で取り付けられ前記防漏カフを前記シャーシから離間させるカフ弾性部材とを含み、前記バリアシートは、前記両側縁部が前記シャーシに固着され前記縦方向に延びるとともに前記中間部分よりも前記後端縁側に延びる第１後方固着帯と、前記両側部分が前記防漏カフに固着され前記縦方向に延びるとともに前記中間部よりも前記後端縁側に延びる第２後方固着帯とを含み、前記第１後方固着帯は前記第２後方固着帯よりも前記縦方向の寸法を長く設定されている。
【発明の効果】
【００１３】
バリアシートの中間部分の横方向外側に位置する両側部分に、前記両側部分の一部を切り取った切除部を備えることにより前記バリアシートの着用者への接触面積を減少させることとしたので、バリアシートによる蒸れを軽減することができ、蒸れによるかぶれを抑制することができる。
【００１４】
切除部は、境界線によって画成された縦方向の前側領域と後側領域とを含み、前側領域は後側領域よりもその面積が広く設定されることとしたので、排尿による蒸れの可能性がより高い前方側でのかぶれを抑制することができる
【００１５】
バリアシートとシャーシとの間に、空隙を前ウエスト域側と後ウエスト域側に隔てるとともに、中間部分から切除部に亘って横方向に延びる分離シートを備えることとしたので、空隙に排泄された尿や便が、切除部から漏れるのを防止することができる。
【００１６】
バリアシートの中間部分の横方向外側に位置する両側部分に、横方向に延びる中間弾性部材を備えることにより前記バリアシートの着用者への接触面積を減少させることとしたので、バリアシートによる蒸れを軽減することができ、蒸れによるかぶれを防止することができる。
【００１７】
吸収性物品は、バリアシートの身体側であって横方向に対向し縦方向に延びる一対の防漏カフを含み、バリアシートは、両側縁部が前記シャーシに固着され中間部分よりも後端縁側に延びる第１後方固着帯と、両側部分が防漏カフに固着され中間部よりも後端縁側に延びる第２後方固着帯とを含み、第１後方固着帯は第２後方固着帯よりも縦方向の寸法を長くしている。すなわち第２後方固着帯を短くすることによって、防漏カフとバリアシートが長い領域において接合されることがなく、後方において連通部が外側に引っ張られて開口が広がりすぎて連通部から便がはみ出るのを防止することができる。
【発明を実施するための最良の形態】
【００１８】
吸収性物品として使い捨ておむつを用い、本発明の一例を説明する。
【００１９】
＜第１の実施形態＞
図１〜７は本願発明の第１の実施形態を示したものであり、図１はおむつ１の着用状態を表した図である。図示したように、おむつ１は吸液性のシャーシ２とバリアシート３と防漏カフ４とを含む。シャーシ２はパンツ型に形成され、横方向Ｘおよび縦方向Ｙと、身体側内面５および着衣側外面６と、前ウエスト域７、後ウエスト域８および前記前後ウエスト７，８域間に位置する股下域９を有している。シャーシ２は、内側シート１１と外側シート１２と、これら内外側シート１１，１２の間に介在する不透液性の防漏シート１３とによって形成されている。
【００２０】
前後ウエスト域７，８においては、互いのウエスト側縁部１４，１５の対向面が重なり合い、間欠的に並ぶ複数の接合部１６において互いに接合されてシーム部が形成されている。
接合部１６でウエスト側縁部１４，１５が接合されることにより、前後ウエスト域７，８で囲まれた領域にウエスト開口１８が形成されるとともに、接合部１６と股下域９とで囲まれた一対の脚開口１９が形成されている。ウエスト開口１８の周縁部に沿って複数条のウエスト弾性部材２０が延び、脚開口１９の周縁部に沿って複数条の脚弾性部材２１が延びている。それら弾性部材２０，２１は、内側シート１１と外側シート１２との間にあり、これらシート１１，１２の少なくとも一方に接着剤（図示せず）を介して伸長状態で接合されている。
【００２１】
図２は図１のＩＩ−ＩＩ線断面図である。図２に示すように、シャーシ２の身体側内面５に吸液構造体１０が配置され、吸液構造体１０よりもさらに身体側にバリアシート３が配置され、バリアシート３のさらに身体側に防漏カフ４が配置されている。吸液構造体１０は前後ウエスト域７，８の間において縦方向Ｙに延設されているが、これは少なくとも股下域９に位置していればよい。この吸液構造体１０は、内側シート１１の内側に沿って配置された吸液性パネル２３を含む。
【００２２】
吸液性パネル２３は、ティッシュペーパ等の吸液拡散シート２４で包まれる吸液性芯材２５と、吸液拡散シート２４をさらに覆う内面シート２６とで形成されている。吸液性パネル２３の着衣側は外側シート１２の内側に配置された防漏シート１３で被覆され、芯材２５に吸収された体液がおむつ１から漏れるのを防止する。防漏シート１３は、吸液性パネル２３の底面に直接接合されることもある。
【００２３】
バリアシート３の前端縁２７と後端縁２８は、その近傍が接着または溶着により内面シート２６に接合されている。前端縁２７と後端縁２８とは、それぞれ前ウエスト域７および後ウエスト域８に位置している。図示したようなパンツ型の状態においては、股下域９が湾曲するとともに、後に説明するバリアシート弾性部材の収縮によって、バリアシート３は内面シート２６から縦方向Ｙに離間している。バリアシート３の前後端縁２７，２８は内面シート２６に接合されているので、バリアシート３全体はハンモックを吊り下げたような形状を有する。このような形状により、バリアシート３と吸液性パネル２３との間に空隙２９が形成される。
【００２４】
バリアシート３と吸液構造体１０との間には、空隙２９を前ウエスト域７側と後ウエスト域８側とに隔てる分離シート１７を形成している。分離シート１７は縦方向Ｙに対向して横方向Ｘに延びる上下端縁１７ａ，１７ｂを含み、上端縁１７ａをバリアシート３に溶着または接着により接合し、下端縁１７ｂを内面シート２６に溶着または接着により接合している。分離シート１７は図２の紙面手前から奥へと伸び、バリアシート３が吸液構造体１０から離間したときに、内面シート２６から立ち上がって空隙２９を前後に隔てる。この分離シート１７は不織布やプラスチックフィルム等であり好ましくは不透液性である。防漏カフ４は後に説明するカフ弾性部材によって起立するようにしてバリアシート３から離間して、縦方向Ｙに延びる壁を形成している。
【００２５】
図３は図１の接合部１６における前後ウエスト域７，８の接合をはずし、おむつ１を縦方向Ｙと横方向Ｘとに展開して得られるおむつ１の平面図である。おむつ１は、平面状になるように各弾性部材の伸縮力を作用させない状態を示している。おむつ１は、横方向Ｘの寸法を二等分する縦中心線Ｐ−Ｐと、縦方向Ｙの寸法を二等分する横中心線Ｑ−Ｑとを有し、縦中心線Ｐ−Ｐに関して左右対称である。
【００２６】
シャーシ２はほぼ砂時計型に形成され、吸液性パネル２３は矩形に形成され、シャーシ２の内側シート１１に積層されている。
バリアシート３は、横方向Ｘに対向する両側部分３０，３１と両側部分３０，３１の間をつなぐ中間部分３２とを有し、中間部分３２は股下域９に位置している。両側部分３０，３１および中間部分３２によって前後方連通部３３，３４を形成している。前方連通部３３は、中間部分３２から前ウエスト域７に向かって延びるほぼＵ字形であり、後方連通部３４は、中間部分２６から後ウエスト域８に向かって延びるほぼＵ字形である。前方連通部３３は、両側部分３０，３１に位置する両内側縁３５と、これら両内側縁３５をつなぐ湾曲した閉鎖縁３６とによって画成される。後方連通部３４は両側部分３０，３１に位置する両内側縁３７と、これら両内側縁３７をつなぐ湾曲した閉鎖縁３８とによって画成される。
【００２７】
防漏カフ４は、縦中心線Ｐ−Ｐに対称に縦方向Ｙに延びる一対のシートから形成され、このシートは不織布やプラスチックフィルム等であり好ましくは不透液性である。各防漏カフ４は、バリアシート３の両側部分３０，３１の身体側に重なるようにして形成されている。防漏カフ４の横方向Ｘの寸法は、バリアシート３の両側部分３０，３１と同程度であるか、あるいはそれよりも大きくなるようにしている。
【００２８】
このおむつ１を着用するときには、前方連通部３３に着用者の外性器が臨み、後方連通部３４に肛門が臨み、中間部３２に外性器と肛門との間の肌が当接するように着用状態を整える。このとき、前方連通部３３の閉鎖縁３６が横中心線Ｑ−Ｑよりも前方に位置し、後方連通部３４の閉鎖縁３８が横中心線Ｑ−Ｑの上、または横中心線Ｑ−Ｑの付近に位置していることが好ましい。このように着用すると、吸液性パネル２３が縦方向Ｙに湾曲するとともに、バリアシート３がバリアシート弾性部材３９の収縮により浮き上がって着用者の肌に接触するとともに、バリアシート３と吸液性パネル２３との間に空隙２９を形成する（図２参照）。そして前後方連通部３３，３４を介して排泄物を空隙２９に通過させ、排泄物と着用者の肌とが直接接触しないようにしている。
【００２９】
図４は、バリアシート３の詳細を示した図であり、他の部材は省略している。
前後方連通部３３，３４は内側縁３５，３７においてほぼ直線を有し、閉鎖縁３６，３８において曲線を画くことによって中間部分３２から前後端縁２７，２８に向かって延びるほぼＵ字形を形成している。バリアシート３には、前後方連通部３３,３４に沿って縦方向Ｙに延びる一対の第１および第２バリアシート弾性部材３９,４０を伸長状態で取り付けている。
【００３０】
第１および第２バリアシート弾性部材３９,４０は縦中心線Ｐ−Ｐを挟んでほぼ対称に取り付けられ、前方連通部３３に沿う前方部３９ａ，４０ａと、後方連通部３４に沿う後方部３９ｂ，４０ｂと、これら前後方部の間に位置し中間部分３２において縦中心線Ｐ−Ｐに向かう凸状部３９ｃ，４０ｃとを含む。第１および第２バリアシート弾性部材３９，４０は、凸状部３９ｃ，４０ｃにおいて最もその横方向Ｘの間隔Ｗ１が小さくなり、前後方部３９ａ，３９ｂ，４０ａ，４０ｂは中間部分３２から前後端縁２７，２８に向かってその横方向Ｘの間隔が大きくなるように広がっている。
【００３１】
中間部分３２の横方向Ｘの外側に位置する両側部分３０，３１には、切除部４１を形成している。切除部４１は、バリアシート弾性部材の凸状部３９ｃ，４０ｃの横方向Ｘの外側から、両側部分３０，３１の横方向Ｘの外側を形成する両側縁４２，４３に向かってＶ字を画くようにシートを切り欠くことによって形成されている。この切除部４１によって、両側縁４２，４３の一部も切除されている。
【００３２】
中間部分３２はその縦方向Ｙの寸法を二等分する境界線Ｒ−Ｒを含み、切除部４１はこの境界線Ｒ−Ｒ上に形成されている。切除部４１は、境界線Ｒ−Ｒによってその縦方向Ｙの前方に位置する前側領域４１ａと、縦方向Ｙの後方に位置する後側領域４１ｂとに画成される。前側領域４１ａは後側領域４１ｂよりもその面積が広く設定されている。
【００３３】
図５は、吸液性パネル２３、バリアシート３、防漏カフ４の詳細を示した図であり、説明のためにその一部を破断している。図示したように、吸液性パネル２３の着用者側にバリアシート３を重ね、バリアシート３の着用者側に防漏カフ４を重ねている。
【００３４】
吸液性パネル２３とバリアシート３との間には分離シート１７を介在させている。分離シート１７は中間部３２において形成され、その上端縁１７ａを中間部３２に接合し、下端縁１７ｂを吸液性パネル２３の内面シート２６に接合している。分離シート１７は中間部分３２の横方向Ｘの長さ寸法よりも大きく、その横方向Ｘに対向する両端縁１７ｃが中間部分３２からはみ出して切除部４１に覗いている。上端縁１７ａに位置する両側縁１７ｃはバリアシート３に接合されることなく、下端縁１７ｂに位置する両側縁１７ｃは内面シート２６に接合されている。
分離シート１７は、おむつの着用時にバリアシート３が吸液性パネル２３から離間するのに伴って、この離間方向に立ち上がり、空隙２９を前後方向に隔てるものであり、おむつの着用前における図５の状態では上下端縁１７ａ，１７ｂを重ね合わせるようにして折り畳まれている。
【００３５】
バリアシート３は、両側部分３０，３１が吸液性パネル２３側に折り返されて二枚重ねになっている。この二枚重ねになった両側部分３０，３１の間に第１および第２バリアシート弾性部材３９，４０を図示しない接着剤によって接合している。
【００３６】
防漏カフ４はＺ字を画くように３枚重に折り畳まれたシートから形成されている。具体的には、防漏カフ４は、第１面４４、第２面４５および第３面４６を含んでいる。第１面４４は、吸液性パネル２３とシャーシ２との間に位置し、シャーシ２の内側シート１１に接合されている。第２面４５は、第１面４４からバリアシート３の着用者側に折り返され両側部分３０または３１に重なっている。第３面４６は、第２面４５の着用者側に折り重ねられている。すなわち、第１、第２、第３面４４，４５，４６の順に着用者側へと折り重なり、第１面４４と第２面４５とは、吸液性パネル２３を介して重なり、第２面４５と第３面４６とは直接重なっている。第３面４６に位置する側縁４７はカフ弾性部材４８を取り付け可能とするために折り返されている。カフ弾性部材４８は、折り返された側縁４７の間に伸長状態で接合され、前後端部分４９，５０に亘って縦方向Ｙに取り付けられている。
【００３７】
防漏カフ４は、前後端部分４９，５０において、第１面４４を吸液性パネル２３に接合し、第２面４５をバリアシート３に接合し、第３面４６を第２面４５に接合している。この防漏カフ４にカフ弾性部材４８の収縮力が作用すると、第２面４５および第３面４６を伸展させてバリアシート３から起立するように離間して、図２に示すような壁を形成する。第２面４５および第３面４６においてバリアシート３から離間する部分、すなわち接合されていない部分を自由縁部としている。
【００３８】
このようなバリアシート３の両側部分３０，３１は、第１固着帯５１を介してシャーシ２の内面シート２６に接合され、第２固着帯５２を介して防漏カフ４に接合されている。第１固着帯５１は、ホットメルト接着剤などによって形成され、縦方向Ｙにおいて切除部４１付近で二分割されている。すなわち、第１固着帯５３は、切除部４１の前側領域４１ａ近傍から前端縁２７まで延び、第１後方固着帯５４は、切除部４１の後側領域４１ｂ近傍から後端縁２８まで延びている。第１前方固着帯５３および第１後方固着帯５４は、切除部４１から接着剤がはみ出すことがないように形成することが望ましい。
【００３９】
第２固着帯５２は、ホットメルト接着剤などによって形成され、縦方向Ｙに二分割されている。すなわち、第２固着帯５２は、切除部４１の前側領域４１ａ近傍から前端縁２７側に延びる第２前方固着帯５５と、切除部４１の後側領域４１ｂから後端縁２８側に延びる第２後方固着帯５６とを含む。第２前方固着帯５５および第２後方固着帯５６は、切除部４１から接着剤がはみ出すことがないように形成することが望ましい。第２前方固着帯５５は、第１および第２バリアシート弾性部材３９，４０の前方部３９ａ，４０ａと少なくともその一部において重なり、第２後方固着帯５６は、第１および第２バリアシート弾性部材３９，４０の後方部３９ｂ，４０ｂと少なくともその一部において重なるようにしている。
【００４０】
図６は、バリアシート３、吸液性パネル２３、第１固着帯５１、第２固着帯５２の説明図である。図示したように第２前後方固着帯５５，５６は、第１前後方固着帯５３，５４よりも横方向Ｘの内側に位置するように形成している。第１および第２前方固着帯５３，５５は縦方向Ｙの長さ寸法Ｌ１がほぼ等しく設定されている。第２後方固着帯５６の縦方向Ｙの長さ寸法Ｌ２は第１後方固着帯５４のその寸法Ｌ３よりも短くなるようにしている。
【００４１】
図７は図５のＶＩＩ−ＶＩＩ線端面図であり、二点鎖線は第１および第２バリアシート弾性部材３９，４０およびカフ弾性部材４８が収縮したときの状態を示している。ここではバリアシート３の側部分３１側について説明しているが、側部分３０においても同様である。図示したように、弾性部材４０，４８の収縮状態、すなわちおむつ１の着用状態においては、防漏カフ４の第２面４５および第３面４６の自由縁部が吸液性パネル２３から離間する方向に伸展する。防漏カフ４の伸展に伴い、第２面４５に位置する第２固着帯５２を介して接合された側部分３１が吸液性パネル２３から離間する方向でかつ横方向Ｘの外側に引き上げられる。したがって、バリアシート３を着用者の股下に確実に接触させることができる。特に、第２固着帯５２を第１固着帯５１よりも内側に形成することによって、防漏カフ４が起立したときに、より吸液性パネル２３から遠ざかる位置、すなわち図面上方においてバリアシート３を接合することができ、着用者への接触をより確実におこなうことができる。
【００４２】
バリアシート３が着用者の肌に確実に接触した場合であっても、切除部４１を設けることによって、着用者への接触面積を小さくすることができる。接触面積が小さい分、接触による蒸れを低減することができ、蒸れに起因するかぶれを防止することができる。接触面積が小さくなれば、バリアシート３における通気性も向上し、かぶれの防止を向上させることができる。また、おむつの着用時においては、縦方向Ｙの後方よりも前方のほうが着用者へのおむつの密着性が高くなる傾向にあり、しかも前方では排尿によって蒸れが生じる可能性も高くなる。そこで、切除部４１の前側領域４１ａを後側領域４１ｂよりも広くすることによって、より一層接触による蒸れを防止することができる。
【００４３】
切除部４１では着用者の肌と、吸液構造体１０の内面シート２６とが直接連通するので、着用者の汗などの水分が直接吸液構造体１０によって吸収することができ、かぶれをより抑制することができる。
切除部４１では、分離シート１７の両側縁１７ｃが覗いている。分離シート１７は、中間部分３２において空隙２９を前後方向に隔てるので、前方連通部３３に排泄された尿等が後方連通部３４側に移動するのを規制し、後方連通部３４に排泄された便等が前方連通部３３側に移動するのを規制することができる。切除部４１では、分離シート１７の上端縁１７ａが接合されることなくその両側縁１７ｃが覗いているので、排泄された便等が切除部４１からはみ出そうとしたときにこれを包むようにしてはみ出すのを阻止することができる。
【００４４】
第１および第２固着帯５１，５２を縦方向Ｙにおいて二分割することによって、切除部４１を避けて接着剤を塗布することができる。したがって接着剤が着用者に直接接触するのを防止することができ、接着剤の接触による肌トラブルを防止することができる。また、第１および第２固着帯５１，５２の間を接合しないようにすることによって、着用時に防漏カフ４が起立した状態では、バリアシート３を第２前後方固着帯５５，５６で前後左右の四方向に引っ張ることができる。このように前後左右の四方向に引っ張ることによって、中間部分３２付近でのシートの弛みを防止し、バリアシート３の中間部分３２を確実に着用者に接触させることができる。
【００４５】
第２前方固着帯５５は前方連通部３３の両側部分３０，３１に形成されているので、防漏カフ４の起立した場合には、この第２前方固着帯５５を介して両側部分３０，３１を横方向Ｘの外側に引っ張ることもできる。両側部分３０，３１が横方向Ｘの外側に引っ張られると前方連通部３３の開口が広げられる。前方連通部３３には外性器を臨ませているので、その開口が広がることによって、バリアシート３が外性器に接触して、肌に過剰な刺激を与えるのを防止することができる。
【００４６】
第１後方固着帯５４よりも第２後方固着帯５６の方が、その縦方向Ｙにおける寸法を短くすることによって、後方連通部３４の開口が大きくなりすぎるということがない。後方連通部３４の開口が大きくなりすぎると、その開口から便がはみ出てしまう可能性があり、これを防止することができる。
第１後方固着帯５４が第２後方固着帯５６よりも縦方向Ｙにおける寸法を長くしているので、バリアシート３が防漏カフ４によって横方向Ｘに引っ張られたときに、バリアシート３の両側部分３０，３１が障壁のように立ち上がりやすくなる。バリアシート３が障壁のように立ち上がりやすくなると、後方連通部３４からの便が切除部４１の下方に位置する吸液性パネル２３へと移動するのが規制され、切除部４１からはみ出して着用者の肌に接触するのを抑制する。
【００４７】
バリアシート３は、第１固着帯５１によってシャーシ２に接合され、第２固着帯５２によって防漏カフ４に接合されるようにしているが、これら第１および第２固着帯５１，５２の両方を必ずしも形成している必要はなく、いずれか一方のみを形成していてもよい。
第１および第２固着帯５１，５２としては一般的なゴム系ホットメルト接着剤を使用することができる。また、第１および第２固着帯５１，５２をソニックシールやヒートシール等の一般的な接合手段を用いて形成するようにしてもよい。第１および第２固着帯５１，５２はバリアシート３に対して連続して帯状に固着するものでもよいし、間欠的に固着して全体として帯状になるようなものでもよい。
【００４８】
バリアシート３および防漏カフ４は、それぞれ一枚のシートで形成されているが、二枚のシートを張り合わせて形成するようにしてもよい。この場合には、バリアシート弾性部材３９，４０およびカフ弾性部材４８をそれぞれ二枚のシートの間に挟んで取り付けることができる。このようにバリアシート３を二枚のシートで形成した場合には、切除部４２の画成縁においては、二枚のシートを接着または溶着により接合し、これらの間から排泄物等が入らないようにすることが好ましい。
バリアシート３は、Ｕ字形の前後方連通部３３，３４を形成しているが、これに限ったものではなく、例えばＯ字形にくりぬいたシートを用いることもできる。
【００４９】
本発明において、バリアシート３および防漏カフ４は液抵抗性かつ通気性の不織布等、内側シート１１および外側シート１２は通気性不織布等、防漏シート１３はプラスチックフィルム等、吸液性芯材２５はフラッフパルプと高吸収性ポリマー粒子との混合物等、それぞれ当技術分野の慣用素材を用いることができる。
【００５０】
＜第２の実施形態＞
図８は、第２の実施形態について示している。この第２の実施形態では、バリアシート３に形成した切除部の形態が第１の実施形態と異なるものであり、他の構成要素は第１の実施形態と同様である。同様の構成要素については、その詳細な説明を省略する。
【００５１】
この実施形態では、バリアシート３は両側部分３０，３１の一部を切り取った切除部５７を備えている。切除部５７は第１および第２バリアシート弾性部材３９，４０の凸状部３９ｃ，４０ｃの横方向Ｘ外側から両側縁４２，４３に向かって広がるとともに、シートをくりぬくことによって形成されている。切除部５７では、両側縁４２，４３を切り取ることなく残存させることによって、略三角形を形成するようにしている。このように、バリアシート３に切除部５７を形成することによって、着用者の肌に接触するバリアシート３の面積を減少させることができ、着用者の肌のかぶれを抑制することができる。
【００５２】
この実施形態の場合には、両側縁４２，４３にシートが残存しているので、バリアシート３と内面シート２６とを接合する第１固着帯５１を二分割することなく、バリアシート３の前後端縁に亘って形成することができる。ただし、バリアシート３の上方への浮き上がったときのシャーシとの離間距離を多くしようとすれば、第１固着帯５１を前後固着帯に二分割するほうが好ましい。
【００５３】
接触面積を減少させる他の手段として、両側部分３０，３１に複数の小さな貫通孔を形成してもよい。
【００５４】
＜第３の実施形態＞
図９，１０は第３の実施形態を示したものであり、バリアシート３は両側部分３０，３１に中間弾性部材５８を備えることを特徴とする。この特徴以外の構成要素は第１の実施形態と同様である。同様の構成要素については、その詳細な説明を省略する。
【００５５】
中間弾性部材５８は、中間部分３２であって第１および第２バリアシート弾性部材３９，４０の凸状部３９ｃ，４０ｃの横方向Ｘの外側に取り付けられている。中間弾性部材５８は凸状部３９ｃ，４０ｃ近傍から両側縁４２，４３に向かって、横方向Ｘの外側に延び伸長状態で取り付けられている。中間弾性部材５８が取り付けられた横方向Ｘの外側では、第１固着帯５１が第１前後方固着帯５３，５４に二分割されている。すなわち、中間弾性部材５８の横方向Ｘの外側では、バリアシート３と内面シート２６とが接合されないようにするとともに、バリアシート３と防漏カフ４とも接合されないようにしている。
【００５６】
おむつの着用時において中間弾性部材５８が収縮すると、図１０に示したように、収縮に伴ってバリアシート３の両側部分３０，３１が縦中心線Ｐ−Ｐに向かって横方向Ｘの内側に寄るから、シートを縮ませて着用者に対する接触面積を減少させることができる。したがって、接触による蒸れを軽減し、かぶれを防止することができる。
【図面の簡単な説明】
【００５７】
【図１】第１の実施形態のおむつの斜視図。
【図２】図１のＩＩ−ＩＩ線断面図。
【図３】図１の展開図。
【図４】図３の要部説明図。
【図５】図３の要部説明図。
【図６】図３の要部説明図。
【図７】図５のＶＩＩ−ＶＩＩ線端面図。
【図８】第２の実施形態の要部説明図。
【図９】第３の実施形態の要部説明図。
【図１０】図９の中間弾性部材が収縮した状態の説明図。
【符号の説明】
【００５８】
１    おむつ
２    シャーシ
３    バリアシート
４    防漏カフ
５    身体側内面
６    着衣側外面
７    前ウエスト域
８    後ウエスト域
９    股下域
１０    吸液構造体
１７    分離シート
２７    前端縁
２８    後端縁
２９    空隙
３０    側部分
３１    側部分
３２    中間部分
３３    前方連通部
３４    後方連通部
３９    第１バリアシート弾性部材
４０    第２バリアシート弾性部材
４１    切除部
４１ａ  前側領域
４１ｂ  後側領域
４２    側縁
４３    側縁
４８    カフ弾性部材
５１    第１固着帯
５２    第２固着帯
５３    第１前方固着帯
５４    第１後方固着帯
５５    第２前方固着帯
５６    第２後方固着帯
５７    切除部
５８    中間弾性部材
【図１】
2009148309.tif 000003
【図２】
2009148309.tif 000004
【図３】
2009148309.tif 000005
【図４】
2009148309.tif 000006
【図５】
2009148309.tif 000007
【図６】
2009148309.tif 000008
【図７】
2009148309.tif 000009
【図８】
2009148309.tif 000010
【図９】
2009148309.tif 000011
【図１０】
2009148309.tif 000012